(57)【要約】      （修正有）【課題】安価に製造でき且つピンが抜け難い装飾具を提供する。【解決手段】装飾具１００は、表面に装飾面１を備え且つ裏面２にピン３が突出した円形の本体４と、本体４に対して着脱固定可能な固定具５とからなる。固定具５は樹脂製の一体成形体で、本体４の円形部分と略同一の径を有する平面状の押え部７と、押え部７の裏面８から突出したつまみ部９とからなる。押え部７の押え面１０の中央には、本体４のピン３を挿入し得る穴１１が設けられる。穴１１は、本体４のピン３に対して締りばめになる。【選択図】図５
0003174151.tif 000002
【実用新案登録請求の範囲】
【請求項１】
装飾面を有すると共に固定用のピンが裏面から突出した本体と、
前記ピンを締りばめの状態で挿入する穴を中央に設けると共に前記本体の裏面に対向する押え面を設けた押え部を有する樹脂一体成形体の固定部と、
を備えたことを特徴とする装飾具。
【請求項２】
更に、前記固定具には、板状で且つ半円状のつまみ部が設けられ、前記穴はつまみ部内に形成されていることを特徴とする請求項１に記載の装飾具。
【請求項３】
前記本体の裏面又は前記固定具の押え面に、滑り止め面を設けたことを特徴とする請求項１又は２に記載の装飾具。
【請求項４】
請求項１〜３のいずれれか一つに記載の装飾具と、当該装飾具を取り付ける取付部とを備えたことを特徴とするネクタイ。
【考案の詳細な説明】
【技術分野】
【０００１】
本考案は、ネクタイ等に取り付けて使用する装飾具及びネクタイに関するものである。
【背景技術】
【０００２】
従来から特許文献１に記載のような装飾具が知られている。この装身具の止め具は、ハウジング内にピンを挟む一組のボールを設け、このボールの位置を移動させる球体押圧部材を前記ハウジングに対して出し入れ可能に設けた構成である。この止め具では、ピンを挿入すると、球体押圧部材がコイルスプリングの力により前記ボールをテーパ面に押し付け、ボールを中央に移動させることで前記ピンを挟んで固定する。
【先行技術文献】
【特許文献】
【０００３】
【特許文献１】特開２００８−３９４号公報
【考案の概要】
【考案が解決しようとする課題】
【０００４】
従来の止め具では、ピンを止めるための機構が複雑で製作コストがかかるという問題点があった。また、ボールによりピンを挟む構造では、ピンが抜けやすいという問題点があった。この考案は、係る問題点を解決するためになされたものである。
【課題を解決するための手段】
【０００５】
本考案の装飾具は、装飾面を有すると共に固定用のピンが裏面から突出した本体と、前記ピンを締りばめの状態で挿入する穴を中央に設けると共に前記本体の裏面に対向する押え面を設けた押え部を有する樹脂一体成形体の固定部とを備えたことを特徴とする。
【０００６】
本体のピンをネクタイ等に突き刺し、裏面に突出したピンを固定部の穴に挿入する。ピンと穴とは締りばめになっており、穴内面が樹脂面となり摩擦力が高くなっているので、固定部によりピンをしっかりと保持できる。また、固定部を押し込むことで押え部の押え面と本体の裏面とでネクタイを挟むことができる。これにより、装飾具をしっかりとネクタイに固定できる。また、固定具が樹脂一体成形であるため安価に製造できる。
【０００７】
また、本考案の装飾具は、上記考案において、更に、前記固定具には、板状で且つ半円状のつまみ部が設けられ、前記穴はつまみ部内に形成されていることを特徴とする。
【０００８】
また、本考案の装飾具は、上記考案において、前記本体の裏面又は前記固定具の押え面に、滑り止め面を設けたことを特徴とする。
【０００９】
本考案のネクタイは、上記考案のいずれれか一つに記載の装飾具と、当該装飾具を取り付ける取付部とを備えたことを特徴とする。
【図面の簡単な説明】
【００１０】
【図１】この考案に係る装飾具を示す正面図である。
【図２】この考案に係る装飾具を示す右側面図である。
【図３】図１に示した装飾具の上面図である。
【図４】図１に示した装飾具の底面図である。
【図５】図１に示した装飾具の組立図である。
【図６】装飾具をネクタイに装着した場合の例を示す説明図である。
【図７】装飾具をネクタイに装着した場合の例を示す説明図である。
【考案を実施するための形態】
【００１１】
図１は、この考案に係る装飾具を示す正面図である（背面図は正面図と同一に現れる）。図２は、図１に示した装飾具の右側面図（左側面図は右側面図と同一に現れる）、図３は、図１に示した装飾具の上面図、図４は底面図である。図５は、図１に示した装飾具の組立図である。この装飾具１００は、表面に装飾面１を備え且つ裏面２にピン３が突出した円形の本体４と、本体４に対して着脱固定可能な固定具５とからなる。本体４は金属製である。装飾面１にはシール、印刷、レーザ加工等により装飾を施す。なお、装飾面１には装飾のために様々な部材を取り付けることができる。例えば、陶器製、樹脂製の装飾部材を本体４の装飾面１に貼り付けても良い。
【００１２】
本体４のピン３は、４ｍｍ以上７ｍｍ以下の長さであり、先端は尖っている。ピン３には抜け止めとして表面に小さな凹凸を形成しても良い。ピン３の直径は、０．５ｍｍ以上１．５ｍｍ以下である。また、本体４の裏面２には、滑り止め面６として微細な凹凸を形成しても良いし、シート状のゴムを設けても良い（図５にて点線で示す）。
【００１３】
固定具５は硬質ゴムやプラスチック等の樹脂製の一体成形体であり、本体４の円形部分と略同一の径を有する平面状の押え部７と、押え部７の裏面８から突出したつまみ部９とからなる。つまみ部９は、ユーザが指で摘みやすいよう略板状である。また、つまみ部９は衣類に引っ掛かったり、皮膚に押し付けられても痛くないように半円形となる。押え部７の押え面１０の中央には、本体４のピン３を挿入し得る穴１１が設けられている。この穴１１は、押え面１０から前記板状のつまみ部９の内部にかけて形成される。このため、前記つまみ部９の突出方向の寸法は、ピン３を穴１１に挿入した際の当該ピン３より大きくなる。
【００１４】
当該穴１１は、前記本体４のピン３に対して締りばめになるような直径とする。また、固定具５が樹脂一体成形体であるため穴内面は金属等に比べて高い摩擦力を備える。当該ピン３に小さな凹凸が形成されている場合、当該凹凸が穴１１の内面に引っ掛かるのでピン３が抜け難くなる。この凹凸は、ピン３と穴１１との摩擦力を低下しないような形状とする。例えば、断面が鋸歯状等の穴内部に凹凸が引っ掛かるような形状とするのが好ましい。穴１１の奥行は、最大でピン３の長さと略同じとする。また、押え面１０には、滑り止め面として微細な凹凸を形成しても良いし、シート状のゴムを設けても良い。
【００１５】
図６は、この装飾具をネクタイに装着した場合の例を示す説明図である。同図に示すように、ネクタイ５０の幅広部分であって且つネクタイ５０をユーザが装着した状態で下端に位置する部分に装飾具１００を取り付ける。なお、図６の取付位置は一例であり、装飾具１００の取付位置は当該位置に限定されるものではない。この取付位置には、予め取付用の穴を設けておいても良い。
【００１６】
まず、前記取付位置において、本体４のピン３をネクタイ５０の表側から突き刺す。これにより、ネクタイ５０の裏側に前記ピン３が突出する。次に、前記固定具５の穴１１にピン３を挿入する。固定具５の穴１１にピン３を強く押し込むことで当該ピン３が穴１１に入る。ピン３と穴１１とは締りばめになっており、また、固定具５は樹脂製で一定の弾性を有するので、ピン３を差し込んだ状態で当該ピン３が締めつけられて保持される。また、ピン３と穴内面との摩擦力によりピン３の抜けが防止される。
【００１７】
更に、そのまま前記ピン３を穴１１に強く押し込むと、図７に示すように、固定具５の押え部７と本体４の裏面２とでネクタイ５０を挟む形になる。即ち、この装飾具１００は、ネクタイ５０に対してピン３を差し込んだ際に形成された穴１１で固定される他、押え部７と本体４の裏面２とで挟むことでネクタイ５０に固定される。このため、ネクタイ５０にあけた穴に力が集中してネクタイ５０の穴が拡がってしまうことを防止できる。更に、本体４の裏面２又は押え面１０に滑り止め面６を設けた場合、押え部７と本体４の裏面２とでしっかりとネクタイ５０を挟むことができるので、ネクタイ５０に空けた穴に負担をかけることがない。
【００１８】
更に、固定具５と本体４のピン３とが締りばめの関係になるので、固定具５の押し込み具合によりネクタイ５０の狭持力を調整できる。また、本体４のピン３の一部が固定具５の穴１１に挿入できれば当該装飾具１００を取り付けることができるので、様々な厚さのネクタイに対応できる。
【００１９】
以上、この考案の装飾具１００によれば、固定具５が樹脂一体成形体であるため構造が簡単で安価に製造できる。また、ピン３と穴１１とは、締りばめの関係であり且つ高い摩擦力を持って挿入されるので、ピン３の抜けが防止される。更に、本体４の裏面２と押え面１０とにより挟むことでネクタイ５０にしっかりと固定できる。なお、上記ではネクタイ５０に装飾具１００を設けた例を示したが、装飾対象はネクタイ５０に限定されない。
【符号の説明】
【００２０】
１００  装飾具
１  装飾面
３  ピン
４  本体
５  固定具
７  押え部
９  つまみ部
１０  押え面
１１  穴
【図１】
0003174151.tif 000003
【図２】
0003174151.tif 000004
【図３】
0003174151.tif 000005
【図４】
0003174151.tif 000006
【図５】
0003174151.tif 000007
【図６】
0003174151.tif 000008
【図７】
0003174151.tif 000009